(57)【要約】【課題】動画や連写等の連続画像と静止画が混在するインデックス画面において、より使いやすいインデックス表示を可能とした表示制御装置、表示制御方法、およびプログラムを提供する。【解決手段】インデックス画面に、連続撮影によって得られる連続画像を示す連続インデックス画像と単発撮影による画像を示す通常インデックス画像の少なくとも２種類のインデックス画像を表示する表示制御部１１ａを備え、連続画像の中の１の画像に基づく単独のインデックス画像を連続インデックス画像として示し、単独の連続インデックス画像と通常インデックス画像とを所定の順番で混在して並べて表示させる第１のインデックス画面と、連続画像の中で選択された複数の画像に基づく複数のインデックス画像を連続インデックス画像として示し、複数の連続インデックス画像と通常インデックス画像とを共に表示する第２のインデックス画面と、を表示可能である。【選択図】  図１
2012073427.tif 000002
【特許請求の範囲】
【請求項１】
撮影画像の内容を示すインデックス画面に、連続撮影によって得られる連続画像を示す連続インデックス画像と単発撮影による画像を示す通常インデックス画像の少なくとも２種類のインデックス画像を表示する表示制御部と、
上記連続画像を構成する画像の中から、上記連続インデックス画像として表示させる画像の条件を指示する条件指示部と、
を備え、上記表示制御部は、
上記連続画像の中の１の画像に基づく単独のインデックス画像を上記連続インデックス画像として示し、当該単独の連続インデックス画像と上記通常インデックス画像とを所定の順番で混在して並べて表示させる第１のインデックス画面と、
上記連続画像の中で上記条件指示部による指示に応じて選択された複数の画像に基づく複数のインデックス画像を上記連続インデックス画像として示し、当該複数の連続インデックス画像と上記通常インデックス画像とを共に表示させる第２のインデックス画面と、
を表示可能であり、選択されたインデックス画面を表示するよう制御することを特徴とする表示制御装置。
【請求項２】
上記表示制御部は、上記複数の連続インデックス画像として当該連続撮影の撮影最初の画像と撮影最後の画像を含ませることを特徴とする請求項１に記載の表示制御装置。
【請求項３】
上記表示制御部は、上記複数の連続インデックス画像を上記第１のインデックス表示の配列に割り込ませるようにしたものを、上記第２のインデックス画面として表示することを特徴とする請求項１に記載の表示制御装置。
【請求項４】
上記表示制御部は、上記複数の連続インデックス画像を、上記第１のインデックス画面の画像に重畳させるようにしたものを、上記第２のインデックス画面として表示することを特徴とする請求項１に記載の表示制御装置。
【請求項５】
上記表示制御部は、上記第２のインデックス画面において、上記連続インデックス画像を上記第１のインデックス画面の画像に重畳させて１枚ずつ撮影順番に従って切換えながら表示させることで、上記複数の連続インデックス画像を表示することを特徴とする請求項４に記載の表示制御装置。
【請求項６】
上記第１のインデックス画面で表示される画像数の切換えを指示する画像数切換指示部を備え、
上記表示制御部は、上記第２のインデックス画面表示中に画像数切換え指示部による指示を受けた場合には、上記インデックス画像として表示させる複数の連続画像の背面に表示される上記第１のインデックス画面の画像について、当該指示に基づいて画像数を切換えて表示する、
ことを特徴とする請求項４に記載の表示制御装置。
【請求項７】
上記表示制御部は、上記第２のインデックス画面に、上記条件指示部による条件を表示させ、上記第２のインデックス画面に表示させる上記連続画像の撮影時間に応じて、当該条件を切換えて表示することを特徴とする請求項１に記載の表示制御装置。
【請求項８】
上記条件指示部は、上記複数の連続インデックス画像として表示させるインデックス画像の数を指示することを特徴とする請求項１に記載の表示制御装置。
【請求項９】
撮影画像の内容を示すインデックス画面に、連続撮影によって得られる連続画像を示す連続インデックス画像と単発撮影による画像を示す通常インデックス画像の少なくとも２種類のインデックス画像を表示可能な表示装置における表示制御方法において、
上記連続画像の中の１の画像に基づく単独のインデックス画像を上記連続インデックス画像として示し、当該単独の連続インデックス画像と上記通常のインデックス画像とを所定の順番で混在して並べて表示させる第１のインデックス画面を表示し、
上記連続画像が選択されると、上記連続画像のインデックス画像として表示させる画像の条件を判定し、
上記判定結果に基づいて、上記連続画像の中で条件指示部による指示に応じて選択された複数の画像に基づく複数のインデックス画像を上記連続インデックス画像として示し、当該複数の連続インデックス画像と上記通常インデックス画像と共に表示させる第２のインデックス画面を表示する、
ことを特徴とする表示制御方法。
【請求項１０】
撮影画像の内容を示すインデックス画面に、連続撮影によって得られる連続画像を示す連続インデックス画像と単発撮影による画像を示す通常インデックス画像の少なくとも２種類のインデックス画像を表示可能な表示装置におけるコンピュータのプログラムであって、
上記連続画像の中の１の画像に基づく単独のインデックス画像を上記連続インデックス画像として示し、当該単独の連続インデックス画像と上記通常インデックス画像とを所定の順番で混在して並べて表示させる第１のインデックス画面を表示し、
上記連続画像が選択されると、上記連続画像のインデックス画像として表示させる画像の条件を判定し、
上記判定結果に基づいて、上記連続画像の中で条件指示部による指示に応じて選択された複数の画像に基づく複数のインデックス画像を上記連続インデックス画像として示し、当該複数の連続インデックス画像と上記通常インデックス画像と共に表示させる第２のインデックス画面を表示する、
ことをコンピュータに実行させるプログラム。
【発明の詳細な説明】
【技術分野】
【０００１】
本発明は、動画および静止画をインデックス表示可能な表示制御装置、表示制御方法、およびプログラムに関する。
【背景技術】
【０００２】
近年、動画撮影機能を有するデジタルカメラが市販されており、デジタルカメラで動画撮影の機会が増えている。一方、静止画機能を有するビデオカメラが市販されており、ビデオカメラで静止画撮影の機会が増えている。いずれにしても、動画と静止画が混在して記録される場面が増えてきている。このようなデジタルカメラやビデオカメラは、動画の代表画像と静止画をインデックス画面に混在して表示するのが一般的であった。
【０００３】
動画の場合、代表画像のみでは内容の確認が十分にできない場合も少なくない。そこで、動画静止画混在のインデックス画面から、動画コマのみのサムネイル表示画面を表示し、動画の内容を容易に確認できるようにした表示装置が提案されている（特許文献１参照）。この特許文献１に開示の画像再生装置は、動画と静止画が混在するインデックス表示から、２×２の動画のインデックス表示に切り換えることができる。
【先行技術文献】
【特許文献】
【０００４】
【特許文献１】特開２００８−０１７５００号公報
【発明の概要】
【発明が解決しようとする課題】
【０００５】
特許文献１に開示の画像再生装置では、動画の内容を確認することはできるが、静止画と他の動画を確認するには、通常のインデックス画面に切り替えなければならず、使い勝手が悪いものであった。
【０００６】
本発明は、このような事情を鑑みてなされたものであり、動画や連写等の連続画像と静止画が混在するインデックス画面において、より使いやすいインデックス表示を可能とした表示制御装置、表示制御方法、およびプログラムを提供することを目的とする。
【課題を解決するための手段】
【０００７】
上記目的を達成するため第１の発明に係わる表示制御装置は、撮影画像の内容を示すインデックス画面に、連続撮影によって得られる連続画像を示す連続インデックス画像と単発撮影による画像を示す通常インデックス画像の少なくとも２種類のインデックス画像を表示する表示制御部と、上記連続画像の中から、上記連続インデックス画像として表示させる画像の条件を指示する条件指示部と、を備え、上記表示制御部は、上記連続画像の中の１に基づく単独のインデックス画像を上記連続インデックス画像として示し、当該単独の連続インデックス画像と上記通常インデックス画像とを所定の順番で混在して並べて表示させる第１のインデックス画面と、上記連続画像の中で上記条件指示部による指示に応じて選択された複数の画像に基づく複数のインデックス画像を上記連続インデックス画像として示し、当該複数の連続インデックス画像と上記通常インデックス画像と共に表示させる第２のインデックス画面と、を表示可能であり、選択されたインデックス画面を表示するよう制御する。
【０００８】
第２の発明に係わる表示制御装置は、上記第１の発明において、上記表示制御部は、上記複数のインデックス画像として当該連続画像の中に当該連続撮影の撮影最初の画像と撮影最後の画像を含ませる。
第３の発明に係わる表示制御装置は、上記第１の発明において、上記表示制御部は、上記複数の連軸インデックス画像を上記第１のインデックス表示の配列に割り込ませるようにしたものを、上記第２のインデックス画面として表示する。
【０００９】
第４の発明に係わる表示制御装置は、上記第１の発明において、上記表示制御部は、上記複数の連続インデックス画像を、上記第１のインデックス画面の画像に重畳させるように表示する。
第５の発明に係わる表示制御装置は、上記第４の発明において、上記表示制御部は、上記第２のインデックス画面において、上記連続インデックス画像を上記第１のインデックス画面の画像に重畳させて１枚ずつ撮影順番に従って切換えながら表示させることで、上記複数の連続インデックス画像を表示する。
【００１０】
第６の発明に係わる表示制御装置は、上記第４の発明において、上記第１のインデックス画面で表示される画像数の切換えを指示する画像数切換指示部を備え、上記表示制御部は、上記第２のインデックス画面表示中に画像数切換え指示部による指示を受けた場合には、上記インデックス画像として表示させる複数の連続画像の背面に表示される上記第１のインデックス画面の画像について、当該指示に基づいて画像数を切換えて表示する。
【００１１】
第７の発明に係わる表示制御装置は、上記第１の発明において、上記表示制御部は、上記第２のインデックス画面に、上記条件指示部による条件を表示させ、上記第２のインデックス画面に表示させる上記連続画像の撮影時間に応じて、当該条件を切換えて表示する。
第８の発明に係わる表示制御装置は、上記第１の発明において、上記条件指示部は、上記複数の連続インデックス画像として表示させるインデックス画像の数を指示する。
【００１２】
第９の発明に係わる表示制御方法は、撮影画像の内容を示すインデックス画面に、連続撮影によって得られる連続画像を示す連続インデックス画像と単発撮影による画像を示す通常インデックス画像の少なくとも２種類のインデックス画像を表示可能な表示装置における表示制御方法において、上記連続画像の中の１の画像に基づく単独のインデックス画像を上記連続インデックス画像として示し、当該単独の連続インデックス画像と上記通常インデックス画像とを所定の順番で混在して並べて表示させる第１のインデックス画面を表示し、上記連続画像が選択されると、上記連続画像のインデックス画像として表示させる画像の条件を判定し、上記判定結果に基づいて、上記連続画像の中で上記条件指示部による指示に応じて選択された複数の画像に基づく複数のインデックス画像を上記連続インデックス画像として示し、当該複数の連続インデックス画像と上記通常インデックス画像と共に表示する第２のインデックス画面を表示する。
【００１３】
第１０の発明に係わるプログラムは、撮影画像の内容を示すインデックス画面に、連続撮影によって得られる連続画像を示す連続インデックス画像と単発撮影による画像を示す通常インデックス画像の少なくとも２種類のインデックス画像を表示可能な表示装置におけるコンピュータのプログラムであって、上記連続画像の中の１の画像に基づく単独のインデックス画像を上記連続インデックス画像として示し、当該単独の連続インデックス画像と上記通常インデックス画像とを所定の順番で混在して並べて表示させる第１のインデックス画面を表示し、上記連続画像が選択されると、上記連続画像のインデックス画像として表示させる画像の条件を判定し、上記判定結果に基づいて、上記連続画像中で条件指示部による指示に応じて選択された複数の画像に基づく複数のインデックス画像を上記連続インデックス画像として示し、当該複数の連続インデックス画像と上記通常インデックス画像と共に表示させる第２のインデックス画面を表示することをコンピュータに実行させる。
【発明の効果】
【００１４】
第１、第９および第１０の発明によれば、動画や連写等の連続画像と静止画が混在するインデックス画面において、より使いやすいインデックス表示を可能とした表示制御装置、表示制御方法、およびプログラムを提供することができる。
【００１５】
また、第２の発明によれば、最初と最後の画像を必ず含ませるようにしたので、連続画像の内容把握を容易に行うことができる。第３の発明によれば、連続画像の内容を示す複数のインデックス画像は、第１のインデックス表示の配列の間に割り込ませて表示するようにしているので、画像が重なり見難くなることがない。
【００１６】
また、第４の発明によれば、連続画像領域の面積を大きくでき、表示できる連続画像の枚数を多くすることができる。第５の発明によれば、１枚ずつ切り換えて表示させるので、連続画像エリアを大きくしなくても、多くの画像を表示させることができる。第６の発明によれば、インデックス画像のサイズと動画インデックス画像のサイズを、独立して切り換えることができる。
【００１７】
また、第７の発明によれば、撮影時間、あるいは撮影枚数に応じた適切な値が表示されるので、連続画像内容の確認時に便利である。第８の発明によれば、第２のインデックス画面に表示する際に、連続画像のインデックス画像の数を指定することができるので、便利である。
【図面の簡単な説明】
【００１８】
【図１】本発明の一実施形態に係わるカメラの主として電気回路の構成を示すブロック図である。
【図２】本発明の一実施形態に係わるカメラにおいて、静止画と動画のインデックス画面に動画の内容をミックスして表示するミックス表示を示す図である。
【図３】本発明の一実施形態に係わるカメラにおいて、静止画と動画のインデックス画面に動画の内容をミックスして表示するミックス表示を示す図である。
【図４】本発明の一実施形態に係わるカメラにおいて、静止画と動画のインデックス画面に動画の内容を重畳して表示するレイヤー表示を示す図である。
【図５】本発明の一実施形態に係わるカメラにおいて、スライドショー表示を示す図である。
【図６】本発明の一実施形態に係わるカメラにおいて、ミックス表示でテレワイド操作が行われた場合の表示を示す図である。
【図７】本発明の一実施形態に係わるカメラにおいて、レイヤー表示でテレワイド操作が行われた場合の表示を示す図である。
【図８】本発明の一実施形態に係わるカメラにおいて、ミックス表示で連写撮影された画像の表示を示す図である。
【図９】本発明の一実施形態に係わるカメラの動作を示すフローチャートである。
【図１０】本発明の一実施形態に係わるカメラの第１のインデックス画面表示の動作を示すフローチャートである。
【図１１】本発明の一実施形態に係わるカメラの第２のインデックス画面表示の動作を示すフローチャートである。
【図１２】本発明の一実施形態に係わるカメラの第２のインデックス画面表示の動作を示すフローチャートである。
【発明を実施するための形態】
【００１９】
以下、図面に従って本発明を適用したカメラを用いて好ましい実施形態について説明する。本発明の好ましい一実施形態に係わるカメラは、デジタルカメラであり、撮像部を有し、この撮像部によって被写体像を画像データに変換し、この変換された画像データに基づいて、被写体像を本体の背面に配置した表示部にライブビュー表示する。撮影者はライブビュー表示を観察することにより、構図やシャッタチャンスを決定する。レリーズ操作時には、静止画や動画の画像データが画像記憶部に記録される。画像記憶部に記録された静止画や動画の画像データは、再生モードを選択すると、表示部に再生表示することができる。
【００２０】
図１は、本発明の一実施形態に係わるカメラの構成を示すブロック図である。制御部（ＣＰＵ：Central Processing Unit）１１は、プログラム／データ記憶部１２に記憶された制御プログラムに従って動作し、カメラの全体制御を行う。制御部１１内には、表示制御部１１ａ、条件指示部１１ｂ、および操作検出部１１ｃが設けられている。制御部１１内の１１ａ、１１ｂ、１１ｃは、制御プログラムにより実行される処理の一部であるので、制御部１１に含まれる機能部として説明する。
【００２１】
表示制御部１１ａは、後述する表示部１９に静止画や連続撮影した画像の再生画像を表示する際の表示制御を行う。すなわち、表示制御部１１ａは、撮影画像の内容を示すインデックス画面に、連続撮影によって得られる連続画像と単発撮影による静止画像の少なくとも２種類のインデックス画像の表示制御を行う。
【００２２】
なお、本明細書においては、連続撮影は、静止画を連続的に撮影する連写と、動画撮影の両方を含む。インデックス画像のうち、連続画像を示すインデックス画像を「連続インデックス画像」または簡便のため「連続画像」と呼び、単発撮影による静止画像を示すインデックス画像を単に静止画像と呼ぶ。なお、上記連続画像と区別する必要がある場合には、「通常インデックス画像」とも呼ぶ。さらに、この連続（インデックス）画像をその連続画像の中の１つだけの画像で示す場合には、この画像を「単独の連続インデックス画像」と呼び、上記連続画像の中で選ばれた１の画像（代表画像とも呼ぶ）が表示される。また、連続（インデックス）画像をその連続画像の中のいくつかの画像で示す場合には、これらの画像を「複数の連続インデックス画像」と呼ぶ。この複数の画像には、上記連続画像の中から上記条件指示部１１ｂによる指示に応じた画像が選択される。
【００２３】
表示制御部１１ａは、インデックス画面として、第１のインデックス画面と第２のインデックス画面の表示制御を行う。第１のインデックス画面は、上記連続インデックス画像として上記単独の連続インデックス画像を示し、当該「単独の連続インデックス画像」と「通常インデックス画像と所定の順番で混在して並べて表示する。また、第２のインデックス画面は、上記連続インデックス画像として上記連続画像の中で条件指示部１１ｂによる指示に応じて選択された複数の画像に基づく複数の連続インデックス画像を示し、当該「複数の連続インデックス画像」と上記「通常インデックス画像」と共に表示させる。
【００２４】
条件指示部１１ｂは、連続画像を構成する画像の中から、上記連続インデックス画像として表示させる複数の画像の条件の指示を行う。条件指示としては、後述するようにミックス表示、レイヤー表示、およびスライドショー表示がある。操作検出部１１ｃは、後述する操作部１３に接続され、十字釦やＯＫ釦等の各種操作部材の操作状態を検出する。
【００２５】
制御部１１には、プログラム／データ記憶部１２、ボタン操作部１３、タッチパネル操作部１４、およびバス２５が接続されている。プログラム／データ記憶部１２には前述したように制御部１１において実行するプログラムが記憶されており、各種データも記憶されている。
【００２６】
ボタン操作部１３は、ユーザがカメラに指示を与えるための各種操作部材を有する。各種操作部材としては、電源釦、レリーズ釦、ＯＫ釦、十字釦、再生釦、テレワイド釦等を有し、各種操作部材の操作状態の検出結果を制御部１１の操作検出部１１ｃに出力する。タッチパネル操作部１４は、表示部１９の前面に配置され、または表示部１９と一体に構成されている。ユーザが表示部１９の画面をタッチすると、タッチパネル操作１４は、タッチ位置およびタッチ方向を検出し、検出結果を操作検出部１１ｃに出力する。
【００２７】
バス２５には、前述の制御部１１の他に、撮像部１５、ＳＤＲＡＭ（Dynamic Random Access Memory）１６、画像処理部１７、表示ドライバ部１８、圧縮伸張部２０、記録再生部２１が接続されている。撮像部１５は、被写体像を結像させるための撮影レンズ、被写体像を画像データに変換するための撮像素子、及びこれらの処理回路、撮影レンズの光路中に介挿された絞り及びシャッタ等を含む。撮像部１５によって生成された静止画像や連続画像の画像データはバス２５に出力される。
【００２８】
ＳＤＲＡＭ１６は電気的に書き換え可能な揮発性の一時記憶メモリであり、撮像部１５から出力される静止画像や連続画像の画像データの一時記憶に用いられる。画像処理部１７は、デジタル画像データのデジタル的増幅（デジタルゲイン調整処理）、ホワイトバランス、色補正、ガンマ（γ）補正、コントラスト補正、ライブビュー表示用画像生成、動画画像生成、インデックス画像（縮小画像）生成等の各種の画像処理を行なう。
【００２９】
圧縮伸張部２０はＳＤＲＡＭ１６に一時記憶された静止画像や連続画像の画像データをＪＰＥＧやＴＩＦＦ等の圧縮方式により圧縮し、また表示等のために伸張するための回路である。なお、画像圧縮はＪＰＥＧ、ＴＩＦＦ、ＭＰＥＧに限らず、他の圧縮方式も適用できる。
【００３０】
表示ドライバ部１８は、撮影時にはライブビュー表示を、レリーズ時にはレックビュー表示を、再生時には再生画像を、表示部１９に表示させる。表示部１９は、表示ドライバ部１８に接続されており、カメラ１０の本体の背面等に配置された液晶モニタや有機ＥＬ等のディスプレイを有し、表示ドライバ部１８の制御によりディスプレイの画面に所定の画像が表示される。
【００３１】
記録・再生部２１は、圧縮伸張部２０において圧縮された画像データを画像記憶部２２に記憶し、また、画像記憶部２２に記憶された撮影画像の画像データを読み出す。この読み出された画像データは、圧縮伸張部２０において伸張され、この伸張された画像データに基づいて、表示部１９に画像が再生表示される。画像記憶部２２は、記録・再生部２１に接続されており、デジタルカメラ本体に内蔵、または装填可能な画像データの記録媒体である。この画像記憶部２２に、静止画像や連続画像が記録されている。
【００３２】
次に、図２ないし図８を用いて、本実施形態におけるインデックス画面の表示について説明する。前述したように、静止画像と連続画像が混在している場合のインデックス画面として、第１のインデックス画面と第２のインデックス画面が用意されている。本実施形態においては、スタート時には第１のインデックス画面がデフォルトとして表示される。
【００３３】
図２（ａ）は、スタート時における第１のインデックス画面を示す。この第１のインデックス画面は、表示部１９のディスプレイに表示される。第１のインデックス画面には、４×４のインデックス画像（例えば、サムネイル規格に従う縮小画像）が表示されている。それぞれのインデックス画像に画像番号５１が付与されており、Ｎｏ．１７（Ｎｏ．１９、Ｎｏ．２０、Ｎｏ．２１等も同じ）のように単なる矩形で示した画像は通常インデックス画像である静止画像５３である。Ｎｏ．１８のように周囲をパーフォレーション形状で囲った画像は連続インデックス画像の１つである動画像５５である。Ｎｏ．２３のように複数枚で構成された画像は連続インデックス画像の１つである連写画像５７である。Ｎｏ．２３の連写画像５７の次がＮｏ．３１となっているのは、連写画像５７は連続的に撮影された８枚の静止画から構成されるためである。このように、第１のインデックス画面においては、通常インデックス画像である静止画像５３と、動画像５５や連写画像５７の連続画像が撮影日順等、所定の順に並んで表示される。
【００３４】
ユーザがＮｏ．１８の動画像５５を再生表示したい場合には、動画像５５をダブルクリックする。ダブルクリックを行うと、タッチパネル操作部１４はタッチされた位置を検出するので、操作検出部１１ｃはダブルクリックされた画像の位置を検出する。表示制御部１１ａは、ダブルクリックされた動画像５５の周囲に、図２（ｂ）に示すように、カーソル５９を表示し、Ｎｏ．１８の動画像５５が選択されたことを示す。
【００３５】
Ｎｏ．１８の動画像５５が選択されると、第１のインデックス画面から、ミックス表示の第２のインデックス画面に切り換わる。ここでは、図２（ｃ）に示すように、Ｎｏ．１７とＮｏ．１９の静止画像５３の間に、動画像５５の中の４コマが、連続画像エリア６０に表示される。また、表示部１９のディスプレイの下部には、連続画調整バー６１、動画撮影時間７１、ミックスアイコン７３、戻る釦７５が表示される。
【００３６】
連続画調整バー６１の右半分はインデックス（ＩＤ）領域６５であり、左半分はスライドショー（ＳＳ）領域６７である。ＳＳ領域６７は、スライドショーによる動画の再生表示を制御するための領域である。ＳＳ領域６７の上側には、動画の再生表示のレベルを示すＳＳレベル６８が設けてある。動画におけるスライドショーについては、図５を用いて後述する。
【００３７】
ＩＤ領域６５の上側には、画像数６６が表示されており、図２（ｃ）に示す例では、４、８、１６が表示されている。画像数６６は、連続画像エリア６０に表示する動画の枚数を示す。また、ＩＤ領域６５またはＳＳ領域６７を左右にスライド可能なスライダー６３が設けられている。図２（ｃ）に示す例では、スライダー６３は、ＩＤ領域６５内にあり、画像数６６は「４」の位置にある。すなわち、連続画像エリア６０内に表示する動画の枚数が４画像に設定されていることを示している。
【００３８】
連続画調整バー６１の右側には、動画撮影時間７１が表示されている。動画撮影時間７１は、選択されている動画の撮影時間を表示する。図２（ｃ）に示す例では、Ｎｏ．１８の動画の撮影時間が２０秒であることを示している。
【００３９】
動画撮影時間７１の右側には、ミックスアイコン７３が表示されている。第２のインデックス画面としては、図２に示すようなミックス表示以外にレイヤー表示がある。ミックスアイコン７３の右側には、戻る釦７５が表示されている。戻る釦７５をユーザがクリックすると、図３（ｂ）に示すように、第２のインデックス画面から第１のインデックス画面に戻る。
【００４０】
図２（ｃ）において、スライダー６３は画像数６６として「４」の位置にある。この状態で、ユーザが画面上で指等をスライドさせることにより、画像数６６を「８」の位置に移動させると、図２（ｄ）に示すように、連続画像エリア６０に表示する動画の枚数が８画像となる。
【００４１】
図２（ｄ）の表示状態において、さらにスライダー６３を「１６」の位置に移動させると、図２（ｅ）（ｆ）に示すように、動画の枚数が１６画像となる。図２（ｅ）には、連続画像エリア６０に１５コマの動画が、また、図２（ｆ）には続きの１コマの動画が表示される。なお、図２（ｅ）の画面から図２（ｆ）の画面に移るには、画面で左から右方向に指を摺動させる操作により、次のページに移ることによって行う。なお、ボタン操作部１３の内の十字釦の右釦操作によって切換えるようにしても良い。
【００４２】
連続画像エリア６０に連続画像を表示するにあたって、最初と最後の画像を含み、その間を等間隔となるように画像を選択する。また、動画撮影時間７１の表示にあたって、「ｓ」は秒を表わし、１分以上の場合には、分を表わす「ｍ」を用いる。
【００４３】
図２（ｅ）に示すミックス表示の第２のインデックス画面において、連続画像エリア６０内のＮｏ．１８−５ｓは、Ｎｏ．１８の動画像５５において、５秒経過時の動画の画像を示す。なお、図中、−０ｓは０秒、−１ｓは１秒を示す。Ｎｏ．１８−５ｓのインデックス画像を、ユーザがダブルクリックすると、図３（ａ）に示すように、インデックス画像（縮小画像）から大画像となり、Ｎｏ．１８の動画の５秒経過時の画像から動画再生を開始する。動画再生時に、ボタン操作部１３のワイド釦を操作することにより、第２のインデックス画面に戻る。
【００４４】
なお、静止画像５３の画像、例えば、Ｎｏ．１７、Ｎｏ．１９、・・・を、ユーザがタッチによりクリックすると、インデックス画像から画面全体に１画像を表示する１画像表示に切り換わる。図３（ｃ）に示す例は、Ｎｏ．２２の静止画像５３をクリックすることにより、１画像表示に切り換わった様子を示す。
【００４５】
次に、レイヤー表示の第２のインデックス画面表示について図４を用いて説明する。本実施形態においては、第２のインデックス表示に切り換えられた直後は、ミックス表示がデフォルト表示となっている。このミックス表示からレイヤー表示に切り換えるには、図２（ｃ）（ｄ）（ｅ）（ｆ）に表示されているミックスアイコン７３をタッチすることによりクリックすればよい。すなわち、ミックスアイコン７３をクリックすると、図４（ａ）に示すように、レイヤー表示に切り換わる。
【００４６】
レイヤー表示に切り換わると、図４（ａ）に示すように、画面の下側にレイヤーアイコン７４が表示され、レイヤー表示状態であること示す。画面には第２のインデックス画面として、第１のインデックス画面と同等な内容の画像が背景インデックス画像６２として表示され、これに重畳させて前面に連続画像エリア６０ａが表示される。つまり、第１のインデックス画面に重畳して連続画像エリア６０ａ内に動画の画像が表示される。ここで、背後にある第１のインデックス画面は輝度が低く表示され、前面にある連続画像エリア６０ａの動画の画像は輝度が高く表示される。このため、第１のインデックス画面に表示されている静止画や連続画像の縮小画像を確認することができるとともに、前面にある動画の内容を表わす画像を容易に確認することができる。なお、背景インデックス画像６２は、第１のインデックス画面と同一である必要はなく、単独の連続画像と通常（静止画）画像とが所定の順番で並べて表示されたものであればよい。
【００４７】
図４（ａ）に示した例では、連続画像エリア６０ａには、動画の内容を示すために、４画像が表示されている。この画像数はスライダー６３の位置をスライドさせることにより変更することができる。図４（ａ）に示す状態において、スライダー６３の位置を「８」に移動させると、図４（ｂ）に示すように、連続画像エリア６０ａには、動画の内容を表わすために８画像が表示される。なお、図４（ａ）（ｂ）において連続画像エリア６０ａ内に表示されている「１８−０ｓ」は、Ｎｏ．１８の動画像で、かつ最初の画像を示し、「１８−７ｓ」は、Ｎｏ．１８の動画像で、７秒経過時の画像であることを示す。
【００４８】
レイヤー表示の第２のインデックス画面においても、戻る釦７５をクリックすると、図４（ｃ）に示すように、図２（ａ）に示したような第１のインデックス画面に戻る。動画撮影時間７１は、ミックス表示の場合と同様、動画の撮影時間を表示する。また、レイヤーアイコン７４をクリックすると、図２（ｃ）に示すようなミックス表示に戻る。
【００４９】
次に、スライドショー表示の第２のインデックス画面について、図５を用いて説明する。前述したように、第２のインデックス画面では、図２（ｃ）に示すようなミックス表示がデフォルト表示となっている。ミックス表示からスライドショー表示に切り換えるには、図５（ａ）に示すように、スライドバー６３をＳＳ領域６７にスライドさせる。
【００５０】
スライドバー６３をＳＳ領域６７にスライドさせる際に、ＳＳレベル６８の内、Ｈ、Ｌ、ＡＬＬのいずれかを選択する。このＳＳレベル６８として「Ｈ」を選択すると、動画の内の少ない枚数でスライドショーを行う。図５（ｂ）に示す例では、Ｎｏ．１８の動画像のうち、スタート時（１８−０ｓ）、７秒経過時（１８−７ｓ）、１３秒経過時（１８−１３ｓ）、最後（１８−２０ｓ）の画像がスライドショーとして表示される。すなわち、全４コマのスライドショーとして表示され、表示時間は例えば各０．５秒×４枚＝２秒とする。なお、スライドショーではなく、単なる早送り表示としてもよい。
【００５１】
ＳＳレベル６８として「Ｌ」を選択すると、「Ｈ」を選択した場合より、多い枚数でスライドショーを行う。図５（ｃ）に示す例では、Ｎｏ．１８の動画像のうち、スタート時（１８−０ｓ）、１秒経過時（１８−１ｓ）、・・・、１８秒経過時（１８−１８ｓ）、最後（１８−２０ｓ）の画像がスライドショーとして表示される。すなわち、全１６コマのスライドショーとして表示され、表示時間は例えば各０．３秒×１６枚＝４．８秒とする。なお、スライドショーではなく、単なる早送り表示としてもよい。
【００５２】
ＳＳレベル６８として、「ＡＬＬ」が選択された場合には、正規の速度で動画再生を行う。この場合には、通常の動画再生となる。
【００５３】
スライドショー表示を行うにあたって、動画撮影時間７１に応じて、画像数６６やＳＳレベル６８の指示値を変更するようにしてもよい。図５（ａ）に示した例では、動画撮影時間７１が２０秒であったことから、画像数６６は４コマ、８コマ、１６コマであり、ＳＳレベル６８のＨでは４コマ、Ｌでは１６コマであった。しかし、これに限らず、例えば、図５（ｄ）に示すように、動画撮影時間７１が１０秒の場合に、画像数６６は４コマと６コマとし、これに応じて、ＳＳレベル６８がＨでは４コマ、Ｌでは６コマとするようにしてもよい。
【００５４】
また、動画撮影時間に応じて、スライドショーの時間を変更してもよい。例えば、Ｈモードで、撮影時間が１分以内の場合には４枚、３分以内の場合には８枚、１０分以内の場合には１６枚とするようにしてもよい。また、Ｌモードで、撮影時間が１分以内の場合には１６枚、３分以内の場合には３２枚、１０分以内の場合には６４枚とするようにしても良い。この場合１枚の表示時間は、固定でも良いし、また変化させても良い。
【００５５】
次に、ミックス表示におけるテレワイド操作について、図６を用いて説明する。前述の図２および図３において、第２のインデックス画面では、インデックス画像（縮小画像）として４×４の１６画像を表示していた。ユーザがミックス表示におけるインデックス画面の表示画像数を変更したい場合には、ボタン操作部１３の内のテレワイド釦を用いてテレワイド操作を行えばよい。このテレワイド釦は、撮影モード設定時にはズームレンズの焦点距離をテレ側またはワイド側に変更するための操作部材であるが、再生モード設定時には、インデックス画面の表示画像数の変更操作部材として使用できる。
【００５６】
図６（ａ）は、前述の図２（ｃ）と同じミックス表示の状態であり、この状態で、テレワイド釦のうちのテレ釦を操作すると、図６（ｂ）に示すように、インデックス画面の表示画像数が、４×４の１６画像から、３×３の９画像に減少し、各画像のサイズが大きくなる。また、図６（ａ）の表示状態で、ワイド釦を操作すると、図６（ｃ）に示すように、インデックス画面の表示画像数が、４×４の１６画像から、５×５の２５画像に増加し、各画像のサイズが小さくなる。なお、テレワイド操作を行っても連続画像エリア６０に表示される画像数は変化しない。
【００５７】
次に、レイヤー表示におけるテレワイド操作について、図７を用いて説明する。前述の図４において、第２のインデックス画面では、インデックス画像として４×４の１６画像を表示していた。ユーザがレイヤー表示におけるインデックス画面の表示画像数を変更したい場合には、ミックス表示の場合と同様、テレワイド釦を用いてテレワイド操作を行えばよい。
【００５８】
図７（ａ）は、前述の図４（ａ）と同じ表示状態であり、この状態で、テレワイド釦のうちのテレ釦を操作すると、図７（ｂ）に示すように、背景インデック画像６２の表示画像数が、４×４の１６画像から、３×３の９画像に減少し、各画像のサイズが大きくなる。また、図７（ａ）の表示状態で、ワイド釦を操作すると、図７（ｃ）に示すように、背景インデックス画像６２の表示画像数が、４×４の１６画像から、５×５の２５画像に増加し、各画像のサイズが小さくなる。なお、テレワイド操作を行っても連続画像エリア６０ａに表示される画像数は変化しない。
【００５９】
図７（ｃ）に示す表示状態において、ＩＤ領域６５内のスライダー６３の位置を、「４」から「８」にスライドさせると、図７（ｄ）に示すように、連続画像エリア６０ａ内の動画の画像数が８枚になる。図示しないが、図７（ｂ）の表示状態においても、スライダー６３の位置を変更すると、連続画像エリア６０ａ内の画像数が変化する。
【００６０】
このようにミックス表示やレイヤー表示において、テレワイド操作を行うことにより、インデックス画面の表示画像数を変更することができる。ユーザは、なるべく多くのインデックス画像を観察したい場合には、ワイド操作を行い、一方、なるべく大きなインデックス画像を観察した場合には、テレ操作を行えばよい。また、スライダー６３の位置を変化させることにより、連続画像エリア６０ａ内の動画の画像数を変化させることもできる。なお、図５に示したスライドショー表示の場合も、ミックス表示やレイヤー表示の場合と同様、テレワイド操作を行うことにより、インデックス画面の表示画像数を変更することができる。
【００６１】
図２ないし図７においては、動画像５５の動画の表示について説明したが、動画像に限らず、図８に示すように、連写画像５７についても同様の表示を行うことができる。図２（ａ）の表示状態において、連写画像５７をダブルクリックすると、図８（ａ）に示すように、連写画像５７の周囲にカーソル５９が表示され、選択されたことを示す。
【００６２】
連写画像５７が選択されると、図８（ｂ）に示されるように、連続画像エリア６０内に連写の画像が４枚表示される。また、インデックス画面の下側には、連続画バー６１が、その右側には総枚数７２が、その右側にはミックスアイコン７３、戻る釦７５が表示される。総枚数７２は、選択されている連写画像５７の総枚数が表示される。図８（ｂ）に示す例では、連写画像５７は総枚数として８枚あるが、スライダー６３によって連続画像エリア６０に表示する枚数として４枚が選択されている。もちろん、スライダー６３をスライドさせ、画像数６６として「８」を選択すれば、全８枚の連写した画像を表示させることができる。
【００６３】
なお、図８（ｂ）の例では、画像数６６として表示する数は、４、６、８であるが、この値は、総枚数７２の値に応じて、適当な値が設定される。また、図８（ｂ）において、スライダー６３をＳＳ領域７７にスライドさせると、図５において説明したと同様に、スライドショーを実行する。
【００６４】
次に、本実施形態における動作を図９ないし図１２に示すフローチャートを用いて説明する。これらのフローチャートは、プログラム／データ記憶部１２に記憶されているプログラムに従って制御部１１が実行する。図９に示すメインのフローに入ると、まず、動作モードは再生モードか否かの判定を行う（Ｓ１）。このカメラは、動作モードとしては、撮影モードがデフォルトモードであり、再生釦が操作されると、再生モードが設定される。
【００６５】
ステップ１における判定の結果、動作モードとして再生モードが設定されていなかった場合には、撮影処理を実行する（Ｓ１５）。ここでは、ライブビュー表示を行い、またレリーズ操作された際には、撮像部１５によって取得した画像データを画像処理の上、画像記憶部２２に記憶する。撮影処理を行うと、ステップＳ１に戻る。
【００６６】
一方、ステップＳ１における判定の結果、動作モードが再生モードであった場合には、次に、画面に１画像のみを表示する１画像表示を行う（Ｓ３）。本実施形態においては、再生モードにおける表示は、１画像表示がデフォルトとなっている。ここでは、最新の撮影日時を有する画像データが読み出され、表示部１９のディスプレイに表示される。
【００６７】
１画面表示を行うと、次に、画像切換え操作がなされたか否かを判定する（Ｓ５）。十字釦を操作することによって、１画面表示で表示される画像を切り換えることができる。ここでは、十字釦が操作されたか否かに基づいて画像切換え操作が行われたか否かを判定する。
【００６８】
ステップＳ５における判定の結果、画像切換え操作がなされた場合には、次に、表示画像の切換えを行う（Ｓ７）。十字釦の操作状態に応じて画像の送りもしくは戻しを行い、この画像の１画像表示を行う。
【００６９】
ステップＳ７において表示画像の切換えを行うと、またはステップＳ５における判定の結果、画像切換え操作がなされていなかった場合には、次に、撮影モードへの切換え操作がなされたか否かを判定する（Ｓ９）。再生モードから撮影モードに切り換えるには、本実施形態においては、再生釦を再度、操作すればよいことから、このステップでは、再生釦の操作状態に基づいて判定する。
【００７０】
ステップＳ９における判定の結果、撮影モードへの切り換えがなされた場合には、前述のステップＳ１５に進む。一方、判定の結果、撮影モードへの切り換えがなかった場合には、次に、インデックス表示が選択された否かを判定する（Ｓ１１）。本実施形態においては、ワイド釦を操作することにより第１のインデックス画面に切り換わることから、このステップでは、ワイド釦が操作されたか否かを判定する。なお、ワイド釦以外のボタン操作部１３の操作部材と兼用させてもよく、またインデックス表示用の操作部材を設けてもよい。
【００７１】
ステップＳ１１における判定の結果、インデックス表示が選択された場合には、第１のインデックス画面を表示する（Ｓ１７）。ここでは、図２（ａ）に示したような第１のインデックス画面を表示し、ユーザの指示に応じてミックス表示、レイヤー表示、またはスライドショーによる第２のインデックス画面等の表示を行う。この第１のインデックス画面の表示の詳しい動作については、図１０を用いて後述する。
【００７２】
ステップＳ１１における判定の結果、インデックス表示が選択されていなかった場合には、次に、電源オフか否かの判定を行う（Ｓ１３）。ここでは、電源釦の操作状態に基づいて判定する。この判定の結果、電源オフでなかった場合には、ステップＳ５に戻る。一方、ステップＳ１３における判定の結果、電源オフであった場合、またはステップＳ１７における第１のインデックス画面表示を行うと、メインフローを終了する。再度電源釦が操作され、電源オンとなるとステップＳ１より再開する。
【００７３】
次に、ステップＳ１７における第１のインデックス画面表示の詳しい動作について、図１０に示すフローチャートを用いて説明する。第１のインデックス画面表示がスタートすると、まず、所定の番号の画像から２×２でインデックス表示を行う（Ｓ２１）。図２（ａ）に示した例では、４×４の１６画像表示であったが、デフォルトとしては、２×２の４画像表示とする。また、所定の番号としては、例えば、Ｎｏ．１の画像とするが、これに限らず、例えば、第１のインデックス画面表示の直前に表示されていた１画像表示の画像の番号としてもよい。
【００７４】
２×２のインデックス表示を行うと、次に、画像切換え操作がなされたか否かを判定する（Ｓ２３）。本実施形態においては、第１のインデックス画面表示の際に、十字釦を操作すると画像切換えを行うので、このステップでは、十字釦の操作状態に基づいて判定する。ステップＳ２３における判定の結果、画像切換え操作がなされた場合には、表示される画像の切換えを行う（Ｓ２５）。画像切換えは、いわゆるページ切換えであり、十字釦の操作に応じて、次のページまたは前のページのインデックス画面に切り換える。
【００７５】
ステップＳ２５において画像切換えを行うと、またはステップＳ２３における判定の結果、画像切換え操作がなされていなかった場合には、次に、１画像表示が選択されたか否かを判定する（Ｓ２７）。本実施形態においては、テレ釦が操作されると、第１のインデックス画面表示を終了し、１画像表示に戻る。そこで、このステップでは、テレ釦の操作状態に基づいて判定する。
【００７６】
ステップＳ２７における判定の結果、１画像表示が選択された場合には、ステップＳ３に戻り、１画像表示を行う。一方、判定の結果、１画像表示が選択されていなかった場合には、次に、静止画像が選択されたか否かを判定する（Ｓ２９）。前述したように、本実施形態においては、インデックス画像を拡大表示したい場合には、ユーザはその画像をダブルクリックする。そこで、このステップでは、タッチパネル操作部１４による検出結果に基づいて、静止画像５３がダブルクリックされた否かを判定する。
【００７７】
ステップＳ２９における判定の結果、静止画像が選択された場合には、ステップＳ３に戻り、選択された静止画像の１画像表示を行う。一方、判定の結果、静止画像が選択されていなかった場合には、次に、連続画像が選択されたか否かを判定する（Ｓ３１）。ここでは、動画像５５または連写画像５７がダブルクリックされたか否かを判定する。
【００７８】
ステップＳ３１における判定の結果、連続画像が選択された場合には、次に、第２のインデックス画面表示を行う（Ｓ４１）。ここでは、図２ないし図８を用いて説明したように、ミックス表示、レイヤー表示、またはスライドショー表示による第２のインデックス画面表示等を行う。この第２のインデックス画面表示の詳しい動作については、図１１および図１２を用いて後述する。第２のインデックス画面表示を行うと、ステップＳ２３に戻る。
【００７９】
ステップＳ３１における判定の結果、連続画像が選択されていなかった場合には、次に、画像数切換え操作がなされたか否かを判定する（Ｓ３３）。図６および図７を用いて説明したように、画像数の切換えはテレワイド釦の操作によって行う。そこで、このステップでは、テレワイド釦の操作状態に基づいて判定する。
【００８０】
ステップＳ３３における判定の結果、画像数の切換え操作がなされた場合には、表示されるインデックス画像数を切り換える（Ｓ３５）。ここでは、テレ釦が操作された場合には、インデックス画面に表示するインデックス画像数を減少させ、一方、ワイド釦が操作された場合にはインデックス画像数を増加させる。
【００８１】
ステップＳ３５においてインデックス画像数の切換えを行うと、またはステップＳ３３における判定の結果、画像数切換え操作がなされていなかった場合には、次に、ステップＳ９と同様に、撮影モードへの切換えか否かの判定を行う（Ｓ３７）。ここでは、前述したように、再生釦の操作状態に基づいて判定する。この判定の結果、撮影モードに切り換える場合には、ステップＳ１５に進み、撮影処理を実行する。
【００８２】
ステップＳ３７における判定の結果、撮影モードへの切換えでなかった場合には、次に、ステップＳ１３と同様に、電源オフか否かの判定を行う（Ｓ３９）。ここでは、前述したように、電源釦の操作状態に基づいて判定する。この判定の結果、電源オフでなかった場合には、ステップＳ２３に戻る。一方、電源オフであった場合には、元のフローに戻り、電源オフとなる。
【００８３】
次に、ステップＳ４１における第２のインデックス画面表示の詳しい動作について、図１１および図１２に示すフローチャートを用いて説明する。第２のインデックス画面表示のフローに入ると、まず、スタートか否かの判定を行う（Ｓ５１）。ここでは、第２のインデックス画面表示を行った最初であるか否かを判定し、最初の場合にスタートと判定する。
【００８４】
ステップＳ５１における判定の結果、スタートであった場合には、次に、連続画像の中で選択された画像に基づいて第２のインデックス画面を作成表示する（Ｓ５３）。ここでは、ステップＳ３１において選択された連続画像に基づいて、図２（ｃ）に示すように、４枚のミックス表示による第２のインデックス画面を作成し表示する。
【００８５】
一方、ステップＳ５１における判定の結果、スタートでなかった場合には、次に、設定はミックス表示か否かを判定する（Ｓ５５）。前述したように、第２のインデックス画面表示では、ミックス表示がデフォルトであり、その後、ミックスアイコン７３をクリックすることにより、レイヤー表示に変更することができる。そこで、このステップでは、ミックス表示か他の表示であるかを判定する。
【００８６】
ステップＳ５５における判定の結果、ミックス表示であった場合には、次に、スライダーの変更があったか否かの判定を行う（Ｓ５７）。スライダー６３は、ユーザが表示部１９のディスプレイの表面をタッチしながらスライドすることにより変更できる。そこで、このステップでは、タッチパネル操作部１４の検出結果に基づいて判定する。
【００８７】
ステップＳ５７における判定の結果、スライダーの変更があった場合には、指示に応じて新たなインデックス画面を作成表示する（Ｓ５９）。ここでは、図２（ｃ）（ｄ）（ｅ）を用いて説明したように、スライダー６３の位置に対応する画像数６６の値に応じて、連続画像エリア６０内に表示する動画の枚数を変更する。
【００８８】
ステップＳ５９において新たなインデックス画面を作成表示すると、またはステップＳ５７における判定の結果、スライダーの変更がなかった場合、またはステップＳ５３において第２のインデックス画面を作成表示すると、次に、画像数の切換え操作がなされたか否かの判定を行う（Ｓ６１）。画像数の切換えは、図６を用いて説明したように、テレワイド釦の操作によって行うことから、このステップでは、テレワイド釦の操作状態に基づいて判定する。
【００８９】
ステップＳ６１における判定の結果、画像数の切換え操作がなされた場合には、次に、インデックス画面全体を変更する（Ｓ６３）。ここでは、図６を用いて説明したように、インデックス画面の表示画像数を、テレ釦が操作された場合には減少させ、ワイド釦が操作された場合には増加させる。
【００９０】
ステップＳ６３においてインデックス画面全体の変更を行うと、またはステップＳ６１における判定の結果、画像数の切換え操作がなされなかった場合には、次に、動画がダブルクリックされたか否かの判定を行う（Ｓ６５）。第２のインデックス画面においても、連続画像エリア６０以外には、静止画像５３、動画像５５、連写画像５７のインデックス画像が表示されており、ユーザが動画像５５（以下連写画像５７を含むものとする）をダブルクリックで選択する場合がある。このステップＳ６５においては、動画像５５がダブルクリックされたか否かを判定する。
【００９１】
ステップＳ６５における判定の結果、動画が選択されていなかった場合には、次に、静止画が選択されたか否かを判定する（Ｓ６７）。ここでは、第２のインデックス画面に表示されている静止画像５３がダブルクリックされ選択されたか否を判定する。
【００９２】
ステップＳ６５またはＳ６７における判定の結果がＹｅｓであった場合には、ステップＳ３に戻り、動画の再生または静止画の１画像表示を行う。
【００９３】
ステップＳ６７における判定の結果、静止画が選択されていなかった場合には、次に、ステップＳ９またはＳ３７と同様に、撮影モードへ切換えするか否かの判定を行う（Ｓ６９）。この判定の結果、撮影モードに切り換える場合には、ステップＳ１５に進み、撮影処理を実行する。
【００９４】
ステップＳ６９における判定の結果、撮影モードへの切換えでなかった場合には、次に、ステップＳ１３またはＳ３９と同様、電源オフか否かの判定を行う（Ｓ７１）。この判定の結果、電源オフで有った場合には、元のフローに戻り、電源オフ処理を行う。
【００９５】
一方、ステップＳ７１における判定の結果、電源オフでなかった場合には、次に、インデックス画面に切換えを行うか否かの判定を行う（Ｓ７３）。第２のインデックス画面から第１のインデックス画面に戻るには、戻る釦７３をクリックすればよいことから、このステップでは、タッチパネル操作部１４によって戻る釦７３がクリックされたか否かに基づいて判定する。
【００９６】
ステップＳ７３における判定の結果、第１のインデックス画面に切り換えられなかった場合には、ステップＳ５１に戻る。一方、判定の結果、第１のインデックス画面に切り換えられた場合には、元のフローに戻り、第１のインデックス画面表示を行う。
【００９７】
ステップＳ５５における判定の結果、ミックス表示が設定された場合には、次に、設定はレイヤー表示であるか否かを判定する（Ｓ８１）。ここでは、ミックスアイコン７３がクリックされたか否かを判定する。
【００９８】
ステップＳ８１における判定の結果、レイヤー表示が設定された場合には、次に、連続画像エリアをインデックス画面に重畳表示する（Ｓ８３）。ここでは、図４（ａ）（ｂ）に示すように連続画像エリア６０ａに示す動画や連写の画像を、第１のインデックス画面と同じ内容の画面である背景インデックス画像６２に重畳表示する。
【００９９】
続いて、スライダーの変更表示が有るか否かの判定を行う（Ｓ８５）。ここでは、スライダー６３がスライドし、画像数６６に変更があるか否かを判定する。この判定の結果、スライダーに変更表示があった場合には、次に、連続画像エリアのみ変更したインデックス画面を作成表示する（Ｓ８７）。ここでは、図７（ｄ）を用いて説明したように、スライダー６３の位置に応じて連続画像エリア６０ａに表示する動画の画像や連写の画像の数を変更する。なお、連続画像エリア６０ａの背面にあるインデックス画面の表示は変更しない。
【０１００】
ステップＳ８７において連続画像領域のみ変更したインデックス画面を作成表示すると、またはステップＳ８５における判定の結果、スライダーの変更表示がない場合には、次に、画像数の切換え操作がなされたか否かを判定する（Ｓ８９）。前述したようにインデックス画像の画像数は、テレワイド釦の操作によって行うことから、ここでは、テレワイド釦の操作状態に基づいて判定する。
【０１０１】
ステップＳ８９における判定の結果、画像数の切換え操作がなされた場合には、次に、背景のインデックス画像のみ変更する（Ｓ９１）。ここでは、図７（ａ）〜（ｃ）を用いて説明したように、テレワイド釦の操作により、連続画像エリア６０ａの背面にある背景インデックス画像６２の画像数を変化させる。なお、連続画像エリア６０ａの画像数は変化させない。
【０１０２】
ステップＳ９１において背景のインデックス画像のみ変化させると、またはステップＳ８９における判定の結果、画像数の切換え操作がなかった場合には、前述のステップＳ６５に進む。
【０１０３】
前述のステップ８１における判定の結果、レイヤー表示が設定されていなかった場合には、次に、連続画像エリアをインデックス画面に重畳表示する（Ｓ１０１）。スライドバー６３がＳＳ領域６７にスライドされると、ミックス表示およびレイヤー表示が設定されていない状態、すなわち、スライドショー表示が設定される。ここでは、図５（ａ）に示すように、複数のインデックス画像に重畳して動画もしくは連写の画像を表示する。
【０１０４】
続いて、ステップＳ８５と同様に、スライダーの変更表示が有るか否かの判定を行う（Ｓ１０３）。この判定の結果、スライダーの変更表示があった場合には、次に、スライドショー表示する画像を変更する（Ｓ１０５）。図５（ｂ）（ｃ）を用いて説明したように、ＳＳ領域６７内におけるスライダー６３の位置に応じて、スライドショーを行う画像数を変更する。
【０１０５】
ステップＳ１０５においてスライドショー表示する画像数の変更を行うと、またはステップＳ１０３における判定の結果、スライダーの変更表示がなかった場合には、次に、画像数切換え操作が行われたか否かの判定を行う（Ｓ１０７）。ここでは、テレワイド釦が操作されたか否かを判定する。
【０１０６】
ステップＳ１０７における判定の結果、画像数の切換え操作がなされた場合には、背景インデックス画像６２のみ変更を行う（Ｓ１０９）。テレ釦が操作されると背景のインデックス画像数を減少させ、ワイド釦が操作されると背景のインデックス画像数を増加させる。ステップＳ１０９におけるインデックス画像の変更を行うと、またはステップＳ１０７における判定の結果、画像数の切換え操作がなされなかった場合には、ステップＳ６７に進む。
【０１０７】
以上説明したように、本発明の一実施形態においては、動画や連写等の連続画像を構成する画像の中の１の画像を当該連続画像に対応する連続インデックス画像とし、単発撮影の静止画像のインデックス画像（通常のインデックス画像）と所定の順番で混在して並べて表示させる第１のインデックス画面と、連続画像を構成する画像の中で条件指示部（例えば、スライダー６３）による指示に応じて選択した複数の画像を当該連続画像に対応する連続インデックス画像とし、通常のインデックス画像と共に表示する第２のインデックス画面を選択して表示するようにしている。このため、動画や連写等の連続画像と静止画が混在するインデックス画面において、より使いやすいインデックス表示を可能としている。
【０１０８】
また、本発明の一実施形態においては、連続画の１の代表画像と静止画混在して配列される従来のインデックス画面と、連続画像について代表画像以外の画像も表示できる第２のインデックス画面を、選択できるようにしている。このため、インデックス画面上であっても、動画の内容を容易に確認することができる。
【０１０９】
なお、本発明の一実施形態においては、スライドショー表示は、スライダー６３をＳＳ領域６７にスライドさせることにより、設定していたが、これに限らず、ミックスアイコン７３やレイヤーアイコン７４と同様に、スライドショーアイコンを設け、このスライドショーアイコンをクリックすることにより表示モードを変更するようにしてもよい。
【０１１０】
また、第２にインデックス画面ではミックス表示をデフォルトとしていたが、これに限らず、レイヤー表示等をデフォルトとしてもよい。また、連続画像エリア６０，６０ａには、４枚のインデックス画像がデフォルトであったが、これ以外の枚数でも勿論かまわない。さらに、連続画像調整バー６１等の表示形態や表示位置等は、種々の変更が可能である。
【０１１１】
また、本発明の一実施形態においては、撮影のための機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【０１１２】
また、本発明の一実施形態においては、表示制御装置としてカメラに適用した例について説明したが、表示制御装置としてはカメラに限らず、例えば、撮影画像を記憶したコンピュータやテレビ等の機器であっても勿論かまわない。
【０１１３】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【０１１４】
１１・・・制御部、１１ａ・・・表示制御部、１１ｂ・・・条件指示部、１１ｃ・・・操作検出部、１２・・・プログラム／データ記憶部、１３・・・ボタン操作部、１４・・・タッチパネル操作部、１５・・・撮像部、１６・・・ＳＤＲＡＭ、１７・・・画像処理部、１８・・・表示ドライバ部、１９・・・表示部、２０・・・圧縮伸張部、２１・・・記録・再生部、２２・・・画像記憶部、５１・・・画像番号、５３・・・静止画像、５５・・・動画像、５７・・・連写画像、５９・・・カーソル、６０・・・連続画像エリア、６０ａ・・・連続画像エリア、６１・・・連続画調整バー、６２・・・背景インデックス画像、６３・・・スライダー、６５・・・ＩＤ（インデックス）領域、６６・・・画像数、６７・・・ＳＳ（スライドショー）領域、６８・・・ＳＳレベル、７１・・・動画撮影時間、７３・・・ミックスアイコン、７４・・・レイヤーアイコン、７５・・・戻る釦、７６・・・画像数
【図１】
2012073427.tif 000003
【図２】
2012073427.tif 000004
【図３】
2012073427.tif 000005
【図４】
2012073427.tif 000006
【図５】
2012073427.tif 000007
【図６】
2012073427.tif 000008
【図７】
2012073427.tif 000009
【図８】
2012073427.tif 000010
【図９】
2012073427.tif 000011
【図１０】
2012073427.tif 000012
【図１１】
2012073427.tif 000013
【図１２】
2012073427.tif 000014